(57)【特許請求の範囲】
【請求項１】
口頚部６上面中央より塗布部７を突出させた容器体２と、該容器体上端部に着脱自在に装着したキャップ３とを備え、該キャップ３は、上記口頚部６外周に嵌合させた周壁10上端縁より上記塗布部７を被覆する頂壁11を延設したキャップ本体８と、該本体後部に後部を回動可能に連結して本体上面を開閉可能に閉塞した蓋体９とから構成し、上記キャップ本体と蓋体との間に患部刺激部材４を着脱可能に収納させてなり、上記患部刺激部材４が、上記頂壁11周縁部を下方へ凹ませて形成した凹溝18内に下部を挿入してキャップ本体と蓋体との間に着脱自在に装着し、且つ、一部を切り欠いた短筒状をなす患部刺激部材4aであることを特徴とする塗布容器。
【請求項２】
口頚部６上面中央より塗布部７を突出させた容器体２と、該容器体上端部に着脱自在に装着したキャップ３とを備え、該キャップ３は、上記口頚部６外周に嵌合させた周壁10上端縁より上記塗布部７を被覆する頂壁11を延設したキャップ本体８と、該本体後部に後部を回動可能に連結して本体上面を開閉可能に閉塞した蓋体９とから構成し、上記キャップ本体と蓋体との間に患部刺激部材４を着脱可能に収納させてなり、上記患部刺激部材４が、上記頂壁11周縁部を下方へ凹ませて形成した凹溝18内に下部を挿入してキャップ本体と蓋体との間に着脱自在に装着し、且つ、短筒状基部19下面より下方へ周方向多数の棒状突起20を突設してなる患部刺激部材4bであることを特徴とする塗布容器。
【請求項３】
口頚部６上面中央より塗布部７を突出させた容器体２と、該容器体上端部に着脱自在に装着したキャップ３とを備え、該キャップ３は、上記口頚部６外周に嵌合させた周壁10上端縁より上記塗布部７を被覆する頂壁11を延設したキャップ本体８と、該本体後部に後部を回動可能に連結して本体上面を開閉可能に閉塞した蓋体９とから構成し、上記キャップ本体と蓋体との間に患部刺激部材４を着脱可能に収納させてなり、上記患部刺激部材４が、上記頂壁11周縁部を下方へ凹ませて形成した凹溝18内に下部を挿入してキャップ本体と蓋体との間に着脱自在に装着するとともに、円弧板状で一側端に櫛歯状部21或いは押圧用の突部22を形成してなる一対の第１患部刺激部材4c及び第２患部刺激部材4dであることを特徴とする塗布容器。
【請求項４】
口頚部６上面中央より塗布部７を突出させた容器体２と、該容器体上端部に着脱自在に装着したキャップ３とを備え、該キャップ３は、上記口頚部６外周に嵌合させた周壁10上端縁より上記塗布部７を被覆する頂壁11を延設したキャップ本体８と、該本体後部に後部を回動可能に連結して本体上面を開閉可能に閉塞した蓋体９とから構成し、上記キャップ本体と蓋体との間に患部刺激部材４を着脱可能に収納させてなり、上記患部刺激部材４が、上記頂壁11上面に平行状に突設した一対の係止板23間に挟持させるとともに、基端部より一対の弾性腕24，24を突設した二股状をなし、且つ、一方の弾性腕外面には押圧用の突部25を、他方の弾性腕外面には櫛歯状突起26を突設してなる患部刺激部材4eであることを特徴とする塗布容器。
【発明の詳細な説明】
【０００１】
【発明の属する技術分野】
本発明は塗布容器に関し、詳しくは、患部に、つねる，引っ掻く，押圧する等の刺激を与えることができる患部刺激部材を備えた塗布容器に関する。
【０００２】
【従来の技術】
塗布容器として、口頚部上端より発泡ウレタン等の多孔性物質よりなる塗布部を突出し、容器体内の液を該塗布部を介して患部に塗布する容器が知られている。従来のこれら容器は上記塗布部を突出した容器体と、上記口頚部外周に周壁を螺着させて着脱自在に装着したキャップとからなるものが極一般的で、使用の都度キャップを外して塗布部を患部に押圧する等して塗布する。
【０００３】
【発明が解決しようとする課題】
これら塗布容器の収納液として、痒み等を押さえる薬剤を収納したものも多く、それらの薬剤を塗布した患部を手の爪で引っ掻く等する場合があり、また、これら薬剤は一般に有臭のものが多いため、引っ掻く等した際の爪或いは指等に臭いが移るという不都合が生じる場合がある。また、爪等には雑菌等が付着している場合も多く、その様な爪で患部を刺激すると好ましくない。
【０００４】
本発明はこの様な点を考慮して、キャップ内に患部を刺激することの出来る患部刺激部材を収納して、手等に収納液の臭いが移行するのを防止できるとともに、患部刺激部材の衛生的な保管が出来、また、出来るだけコンパクトに収納できて容器を特別大きくしなくて済む優れた塗布容器を提案するものである。
【０００５】
【課題を解決するための手段】
上記課題を解決するための第１の手段として、口頚部６上面中央より塗布部７を突出させた容器体２と、該容器体上端部に着脱自在に装着したキャップ３とを備え、該キャップ３は、上記口頚部６外周に嵌合させた周壁10上端縁より上記塗布部７を被覆する頂壁11を延設したキャップ本体８と、該本体後部に後部を回動可能に連結して本体上面を開閉可能に閉塞した蓋体９とから構成し、上記キャップ本体と蓋体との間に患部刺激部材４を着脱可能に収納させた。
【０００６】
また、第２の手段として、前記第１の手段に於いて、上記患部刺激部材４を、上記頂壁11周縁部を下方へ凹ませて形成した凹溝18内に下部を挿入してキャップ本体と蓋体との間に着脱自在に装着し、且つ、一部を切り欠いた短筒状をなす患部刺激部材4aとした。
【０００７】
また、第３の手段として、前記第１の手段に於いて、上記患部刺激部材４を、上記頂壁11周縁部を下方へ凹ませて形成した凹溝18内に下部を挿入してキャップ本体と蓋体との間に着脱自在に装着し、且つ、短筒状基部19下面より下方へ周方向多数の棒状突起20を突設してなる患部刺激部材4bとした。
【０００８】
また、第４の手段として、前記第１の手段に於いて、上記患部刺激部材４を、上記頂壁11周縁部を下方へ凹ませて形成した凹溝18内に下部を挿入してキャップ本体と蓋体との間に着脱自在に装着するとともに、円弧板状で一側端に櫛歯状部21或いは押圧用の突部22を形成してなる一対の第１患部刺激部材4c及び第２患部刺激部材4dとした。
【０００９】
また、第５の手段とした、前記第１の手段に於いて、上記患部刺激部材４を、上記頂壁11上面に平行状に突設した一対の係止板23間に挟持させるとともに、基端部より一対の弾性腕24，24を突設した二股状をなし、且つ、一方の弾性腕外面には押圧用の突部25を、他方の弾性腕外面には櫛歯状突起26を突設してなる患部刺激部材4eとした。
【００１０】
【発明の実施の形態】
以下、本発明の実施例の形態を図面を参照して説明する。
本発明の塗布容器１は、容器体２と、キャップ３と、患部刺激部材４とを備えている。
【００１１】
容器体２は、胴部５上端より口頚部６を起立し、また、口頚部上面中央より発泡ウレタン等の多孔質材料等により構成された塗布部７を突出しており、容器体内の液をこの塗布部７を介して患部に塗布させる如く構成したものである。
キャップ３は更にキャップ本体８と蓋体９とから構成している。
【００１２】
キャップ本体８は、上記口頚部外周に嵌合させた周壁１０上端縁より上記塗布部７を被覆する頂壁１１を延設したもので、また、蓋体９は、上記本体８後部上端に後部下端を回動可能に連結させるとともに、本体上面を開閉可能に閉塞させて構成している。
【００１３】
本実施例では、本体８と蓋体９とを合成樹脂の一体成形により形成しており、本体周壁１０上端後部中央に薄肉ヒンジ１２を介して蓋体９の後部下端中央を連結している。また、蓋体９は、周壁１３上端縁より頂壁１４を延設してなる下向き皿状で、周壁前面には指掛け用の突起１５を突設し、また、頂壁裏面前部中央より、本体頂壁１１前部中央上面に突設した係止突起１６と着脱可能に嵌合する係止筒１７を垂設し、閉蓋状態で不用意な開蓋が起こらないように構成している。また、キャップ本体頂壁１１周縁部を下方へ凹ませて上記塗布部７突出部分周囲に形成した凹溝１８を設けている。
【００１４】
患部刺激部材４は、合成樹脂等により形成されたもので、収納液を塗布した際に必要があれば患部をつかみ，引っ掻き，或いは押圧する等するためのもので、その一例として図２に示す如き、一部を切り欠いた弾性を有する短筒状で、患部をつねる場合に好適に使用できる患部刺激部材４ａが挙げられる。この患部刺激部材４ａは上記凹溝１８内にその下部を挿入して、キャップ本体８と蓋体９との間に収納される。
【００１５】
図３及び図４は患部刺激部材４の他の例を示し、図３は、短円筒状の基部１９下面より、周方向多数の棒状突起２０を垂設して構成した患部刺激部材４ｂを示したものである。また、図４に示すものは、円弧板状をなし、一側端に櫛歯状部２１を形成した第１患部刺激部材４ｃと、一側部に水平な押圧用の突部２２を突設した第２患部刺激部材４ｄとで患部刺激部材４を構成したものである。前者は主として患部を引っ掻くのに好適であり、また、後者は患部を引っ掻く場合と押圧する場合の両方の場合に好適である。また、上記各患部刺激部材４ｂ，４ｃ，４ｄは、図１及び図２に示す場合と同様に、上記凹溝１８内に下部を挿入してキャップ本体８と蓋体９との間に収納している。
【００１６】
図５は上記各実施例と別の形態のもので、本実施例では、キャップ本体頂壁１１の上面中央部に平行状の一対の係止板２３を突設し、各係止板間に患部刺激部材４ｅを挟持させている。この場合の患部刺激部材４ｅは、図７の左右からみた一対の斜視図に示す如き、基端部を中心に弾性的に揺動可能な一対の弾性腕２４，２４を突設し、弾性腕の一方外面先端部には押圧用の突部２５を、他方外面先端部には櫛歯状突起２６をそれぞれ突設したものである。
従って、この場合の患部刺激部材４ｅは、つねる、引っ掻く，押圧するという三種類の刺激を行えるものである。
【００１７】
【発明の効果】
以上説明した如く本発明容器は、患部刺激部材を備えているため、収納液の塗布前，或いは塗布後にこの刺激部材を利用して直接患部に触れずにつねる，引っ掻く，或いは押圧する等の刺激を与えることが出来、特に収納液塗布後の患部を刺激する場合に塗布液の臭いが手に移行する等の不都合を極力防止でき、また、患部刺激部材はキャップ本体と蓋体との間に収納させているため、埃等の付着を防止出来て衛生的な保管が可能となる。
【００１８】
また、第２の手段乃至第４の手段に記載の容器では、凹溝を塗布部の突出部分周囲に形成して、該凹溝内に下部を挿入した患部刺激部材を設けているため、患部刺激部材の存在にも拘わらず容器を大きくしなくてすみ、コンパクトに形成出来る利点を備えている。
【００１９】
更に、第４の手段に記載の容器では、二種類の刺激を与える部材を、同時に且つコンパクトに収納できる利点を兼ね備えている。
また、第５の手段に記載の容器では、つねる，引っ掻く，押圧するという三種類の刺激を一つの部材で施すことができる利点を備えている。
【図面の簡単な説明】
【図１】本発明の一実施例を示す一部切欠き側面図である。
【図２】同実施例のキャップ及び患部刺激部材の一例を示す斜視図である。
【図３】同実施例の患部刺激部材の他の一例を示す斜視図である。
【図４】同実施例の患部刺激部材の更に他の一例を示す斜視図である。
【図５】本発明の他の実施例を示す一部切欠き側面図である。
【図６】同実施例のキャップの示す斜視図である。
【図７】同実施例の患部刺激部材を示す斜視図である。
【符号の説明】
２…容器体，３…キャップ，４，４ａ，４ｂ，４ｃ，４ｄ，４ｅ…患部刺激部材，
６…口頚部，７…塗布部，８…キャップ本体，９…蓋体，
１０…キャップ本体周壁，１１…キャップ本体頂壁，１８…凹溝，１９…基部，
２０…棒状突起，２１…櫛歯状部，２２…押圧用の突部，２３…係止板，
２４…弾性腕，２５…押圧用の突部，２６…櫛歯状突起
【図１】
0003616446.tif 000002
【図２】
0003616446.tif 000003
【図３】
0003616446.tif 000004
【図４】
0003616446.tif 000005
【図５】
0003616446.tif 000006
【図６】
0003616446.tif 000007
【図７】
0003616446.tif 000008